(57)【要約】  コーヒーメーカーは、水に加圧するためのポンプと、前記ポンプの出口側に接続されたポンプ管と、コーヒーパッドを収容するように構成されるブリューチャンバとを有する。コーヒーメーカーの動作中、コーヒーを得るために、水は加熱されてコーヒーパッドを通過させられる。コーヒーメーカーの性能が安定したものであるためには、ブリューチャンバにおいて所定の圧力が得られることが重要である。性能の安定性が、ポンプ管の長さと、動作中にポンプ管のポンプによって生じる波の波長との比に依存することが分かった。上記比が０．３±０．５Ｎ〜０．７±０．５Ｎ（Ｎは整数）である場合、性能は安定している。しかし、上記比がこの範囲外にある場合、性能は不安定である。
2007528768.tif 000002
【特許請求の範囲】
【請求項１】
コーヒーメーカーであって、当該コーヒーメーカーの中を移動される水に加圧するためのポンプを有し、前記ポンプの出口側に接続されたポンプ管の長さＬは、０．３λ±０．５Ｎλ〜０．７λ±０．５Ｎλであり、ここでＮは整数であり、λは動作中に前記ポンプによって生じる前記ポンプ管内の波の波長である、コーヒーメーカー。
【請求項２】
請求項１に記載のコーヒーメーカーにおいて、前記波長λは、以下の式によって計算され、
【数１】
2007528768.tif 000005
ここで、ｆは、前記ポンプが圧力パルスを与える周波数であり、ρは、前記ポンプ管内における前記水の密度であり、Ｅは、前記ポンプ管の材料の弾性率であり、Ｒ１は、前記ポンプ管の内径であり、Ｒ２は、前記ポンプ管の外径である、コーヒーメーカー。
【請求項３】
請求項１に記載のコーヒーメーカーにおいて、前記ポンプ管の前記長さＬは、０．３３λ±０．５Ｎλ〜０．６５λ±０．５Ｎλである、コーヒーメーカー。
【請求項４】
請求項１に記載のコーヒーメーカーにおいて、前記ポンプ管の前記長さＬは、０．３５λ±０．５Ｎλ〜０．５５λ±０．５Ｎλである、コーヒーメーカー。
【請求項５】
請求項１に記載のコーヒーメーカーにおいて、前記ポンプ管の前記長さＬは、０．３８λ±０．５Ｎλ〜０．５λ±０．５Ｎλである、コーヒーメーカー。
【請求項６】
請求項１に記載のコーヒーメーカーにおいて、前記ポンプ管の前記長さＬは、０．４λ±０．５Ｎλ〜０．４５λ±０．５Ｎλである、コーヒーメーカー。
【請求項７】
請求項１に記載のコーヒーメーカーにおいて、前記ポンプ管の前記長さＬは、０．３５λ±０．５Ｎλ〜０．４λ±０．５Ｎλである、コーヒーメーカー。
【請求項８】
請求項１に記載のコーヒーメーカーにおいて、前記ポンプ管の前記長さＬは、０．４５λ±０．５Ｎλ〜０．５５λ±０．５Ｎλである、コーヒーメーカー。
【請求項９】
コーヒーメーカーを製造する方法において、
−周波数ｆを有する圧力パルスを与えるように構成されるポンプを提供するステップと、
−前記ポンプの出口側に接続されるべきポンプ管を提供するステップと、
を有し、
前記ポンプ管の長さＬは、０．３λ±０．５Ｎλ〜０．７λ±０．５Ｎλであるように選択され、ここでＮは整数であり、λは動作中に前記ポンプによって生じる前記ポンプ管内の波の波長である、方法。
【請求項１０】
請求項９に記載の方法において、前記波長λは、以下の式によって計算され、
【数２】
2007528768.tif 000006
ここで、ｆは、前記ポンプが動作するときに当該ポンプが圧力パルスを与える周波数であり、ρは、前記コーヒーメーカーにおいて用いられる前記水の密度であり、Ｅは、前記ポンプ管の材料の弾性率であり、Ｒ１は、前記ポンプ管の内径であり、Ｒ２は、前記ポンプ管の外径である、コーヒーメーカー。
【発明の詳細な説明】
【技術分野】
【０００１】
本発明は、コーヒーメーカー中を移動される水に加圧するためのポンプを有するコーヒーメーカーに関する。
【０００２】
用語「コーヒーメーカー」が、少なくとも１杯のコーヒー又はコーヒー類似飲料を得ることができる各種の装置をカバーし、コーヒーベンディングマシン及びエスプレッソマシンを含むと理解されるべきことに注意されたい。
【背景技術】
【０００３】
１つの既知の種類のコーヒーメーカーは、その中でコーヒーが実際に作られるブリューチャンバを含む。ユーザがコーヒーを得ることを望むとき、該ユーザは、或る量の挽いたコーヒー豆で満たされたエンベロープを有するコーヒーパッドをブリューチャンバに配置する。コーヒーメーカーの動作中、或る量の水が、加圧されコーヒーパッドを通過させられる。このプロセスでは、エンベロープはコーヒーフィルタとして動作する。このようにして、ブリューチャンバ内でのコーヒーパッドと加圧された水との間の相互作用が、所望のコーヒーを与える。
【０００４】
コーヒーメーカーは、水を加熱するためのボイラを有する。コーヒーメーカーは、水に加圧するためのポンプを有する。ポンプ、ボイラ及びブリューチャンバは、水を移動するための管によって相互接続されている。
【０００５】
既知のコーヒーメーカーによって所定の量のコーヒーを得るためには、水の圧力がポンプによって所定のレベルまで上げられることが重要である。更に、水の量及び圧力は、得られたコーヒーの味に対する影響を有する。
【発明の開示】
【発明が解決しようとする課題】
【０００６】
既知のコーヒーメーカーの一実施例においては、ポンプは、１杯のコーヒーを得るために、ブリューチャンバ内で１．４ｂａｒの圧力で１３６ｍＬ±８ｍＬの水を供給するように指定される。しかし、実際は、この実施例で、コーヒーの得られた量が約１２４ｍＬ±１５ｍＬであることが分かった。コーヒーの量の変動が、予想されるよりも大きいので、コーヒーメーカーが所望されない不安定な性能を有するという結論は妥当なものである。
【課題を解決するための手段】
【０００７】
不安定な性能というこの課題を解決するために、本発明は、冒頭段落に記載された種類のコーヒーメーカーであって、前記ポンプの出口側に接続されたポンプ管の長さＬは、０．３λ±０．５Ｎλ〜０．７λ±０．５Ｎλであり、ここでＮは整数であり、λは動作中に前記ポンプによって生じる前記ポンプ管の波の波長である、コーヒーメーカを提案する。
【０００８】
波長λは、実験的に決定されることができるが、以下の式を用いて計算されることもできる：
【数３】
2007528768.tif 000003
ここでｆは、前記ポンプが圧力パルスを与える周波数であり、ρは、前記ポンプ管内の前記水の密度であり、Ｅは、前記ポンプ管の材料の弾性率であり、Ｒ１は、前記ポンプ管の内径であり、Ｒ２は、前記ポンプ管の外径である。
【０００９】
本発明は、不安定な性能が、コーヒーメーカーにおいて用いられるポンプの種類と、ポンプの出口側に接続されているポンプ管の特性とに関係するという認識に基づく。用いられる種類のポンプは、或る決まった周波数ｆ（例えば５０Ｈｚ）でポンプ管に圧力パルスを与えるピストンポンプである。これらのパルスは、ポンプ管を通じて波のように伝播するようである。パルスは、ポンプ管の端で反射され、ポンプ管の特性に応じて強められるか又は弱められる。ブリューチャンバ中で所定の圧力が得られるどうかは、パルスの波長とポンプ管の長さＬとの比に依存する。
【００１０】
実験は、約０．２５λ±０．５Ｎλ（Ｎは整数）のポンプ管長さＬが、最小のブリューチャンバ内圧力を生じることを示した。更に、ポンプ管長さＬが０．３λ±０．５Ｎλ〜０．７λ±０．５Ｎλにある場合、ブリューチャンバ内の圧力が安定することが分かった。
【発明を実施するための最良の形態】
【００１１】
ここで本発明は、図を参照してより詳細に説明され、図において類似部分は同一の参照符号によって示される。
【００１２】
図１は、コーヒーメーカー１の種々の構成要素を概略的に示す。
【００１３】
第１の構成要素は、水を含むためのウォータータンク２である。このウォータータンク２は、いかなるように形作られていてもよい。好適には、ウォータータンク２は、着脱可能に構成されるので、ユーザは、コーヒーメーカー１全体を動かさなくても、ウォータータンク２を満たすために蛇口等までウォータータンク２を持って行くことができる。本発明は、ウォータータンクを有さず、適切な封かん具を通じて蛇口等の何らかの水供給システムに接続された、コーヒーメーカーにも関する。
【００１４】
第２の構成要素は、コーヒーメーカー１中で水を流すためのポンプ３である。ポンプ３は、いかなる適切な種類のものであってもよく、例えばピストンポンプであってもよい。ピストンポンプは、良く知られた種類のポンプであり、ピストンがハウジングに対して線形に移動可能であるようにハウジング内に収容されたピストンを有するポンプである。ポンプの動作中、ピストンは、ハウジングに対して或る決まった周波数ｆ（例えば５０Ｈｚ）で往復運動する。
【００１５】
第３の構成要素は、水を加熱するためのボイラ５である。ボイラ５は、いかなる適切な種類のものであってもよい。ボイラ５及びポンプ３は、ポンプ管４によって相互接続される。ポンプ３が動作させられると、水は、ポンプ３からポンプ管４を通じてボイラ５に流される。ポンプ管４は、ポンプ３の出口管として動作する。示された実施例において、ポンプ管４は、ボイラ５の入口管としても動作する。
【００１６】
第４の構成要素は、ブリューチャンバ７である。ブリューチャンバ７及びボイラ５は、ボイラ管６によって相互接続される。ブリューチャンバ７は、少なくとも１つのコーヒーパッドを収容するように適応される。動作中に、コーヒーを作る実際のプロセスは、ブリューチャンバ７内で起こる。なぜなら、水がコーヒーパッド内で流されるのは、ブリューチャンバ７内においてのことだからである。
【００１７】
第５の構成要素は出口ノズル８であり、これは、ブリューチャンバ７に直接接続されており、ブリューされたばかりのコーヒーをコーヒーメーカー１から供給する役目を果たす。
【００１８】
コーヒーがコーヒーメーカー１によって作られる方法は、次のとおりであってよい：
１）ユーザが、ウォータータンク２を水で満たす。このプロセスの最中に、ユーザは、ウォータータンク２の水の量が、少なくとも１杯のコーヒーを作るために必要とされる水の量であるように注意することを必要とする。
２）ユーザは、ブリューチャンバ７にコーヒーパッドを配置する。コーヒーメーカー１は、例えば、ブリューチャンバ７に容易に挿入されることができるコーヒーパッドを受けるための別個の担体を有することができる。
３）ユーザは、コーヒーカップを、コーヒーメーカー１からコーヒーを受けるために適当な位置に配置する。
４）ユーザは、その中に既に或る量の水が存在しているボイラ５を稼動させる。水は、ボイラ５内で所定の温度まで加熱される。
５）ユーザは、ボイラ５からブリューチャンバ７まで熱水を流すためにポンプ３を稼動させる。ブリューチャンバ７内で、熱水はコーヒーパッドを通過させられ、この結果コーヒーが得られる。ブリューされたばかりのコーヒーは、加圧され、ブリューチャンバ７から、出口ノズル８を通じて、コーヒーメーカー１の外に位置するコーヒーカップまで流される。ポンプ３の動作の間、水はウォータータンク２からボイラ５まで流されるので、ボイラは、所定の量の水で満たされたままであり、この所定の量のうち少なくとも一部は、コーヒーメーカー１が次回動作させられるときに用いられることができる。
【００１９】
完全を期すため、コーヒーメーカー１を用いてコーヒーを作る上記のプロセスが、このプロセスの多くの既存の可能性のうちのただ１つの実施例であることを述べておく。
【００２０】
コーヒーメーカー１の性能が安定していることは重要であり、これは、コーヒーの得られた量が、指定された範囲内になければならず、ブリューチャンバ７内の圧力が指定されたレベルに達しなければならないことを意味する。
【００２１】
本発明の基礎となる認識によれば、ポンプ３、ポンプ管４及び水に関連した幾つかの特性間の関係が、コーヒーメーカー１の性能の安定性に対して重要な影響を有する。コーヒーメーカー１の性能が安定しているためには、特に、ポンプ３の長さＬ、ポンプ３が圧力パルスを与える周波数ｆ、水の密度ρ、ポンプ管４の材料の弾性率Ｅ、ポンプ管４の内径Ｒ１及びポンプ管４の外径Ｒ２の間の関係が、特定の制限範囲内になければならない。上記特性の影響についての説明は、ポンプ管４内で起こるプロセスについての見識の中に見つかる。このプロセスは、図２−ａ〜２−ｆに示される。
【００２２】
ポンプ３が動作させられると、ポンプ３は、圧力パルスに指定された周波数ｆを与える。これらのパルスが、ポンプ管４を通じて波のように伝播することがわかる。図２−ａ〜２−ｆは波を概略的に示し、波の移動の方向は矢印によって示される。
【００２３】
図２−ａ及び２−ｂは、ポンプ管４の端４５に向かっている第１の波４１を概略的に示す。図２−ｃは、ポンプ管４の端４５の位置での第１の波４１を概略的に示す。この場所において、第１の波４１は反射され、この結果、これは、反対方向へ移動し始める。図２−ｄは、ポンプ管４の端４５から離れたばかりであってこの端４５から離れる方に動く反射された第１の波４１を概略的に示し、図２−ｅは、端４５から更に幾らか遠い場所の第１の波４１を概略的に示す。図２−ｆは、ポンプ管４の端４５の方へ進んでおり、反対方向へ移動している第１の波４１に出会う、第２の波４２を示す。管特性に応じて、波４１、４２は、出会いの結果として、強められるか、又は弱められる。特に、ポンプ管４の反射波４１、４２間の遭遇の結果は、波４１、４２の波長λ間の比率及びポンプ管４の長さＬによって影響される。
【００２４】
流体力学の理論によれば、波長λは、以下の式によって与えられる：
【数４】
2007528768.tif 000004
【００２５】
ブリューチャンバ７の圧力とポンプ管４の長さＬとの間の関係は、本発明の状況において実行される実験において決定された。図３〜５に示されるグラフは、これらの実験の結果に基づく。
【００２６】
図３のグラフにおいて、圧力は、ポンプ管４の長さＬの関数としてプロットされる。このグラフが基づく結果が、ポンプ管４の長さＬを変化させ、ポンプ３、ポンプ管４及び水の他の全ての特性を一定に保って（換言すれば波長λを一定に保って）、ブリューチャンバ７内の関連圧力を測定することによって得られるということは明らかである。ブリューチャンバ７の圧力及びポンプ管４の長さＬの示された値は、６０のショア硬さ、２ｍｍの内径Ｒ１及び４ｍｍの外径Ｒ２を持つポンプ管４について５０Ｈｚのポンプ周波数ｆで得られるものである。この状況下では、波長λが、約８８０ｍｍであるとわかった。上記値の組合せが、存在する多くの可能性のうちの１つであることは理解されるであろう。
【００２７】
図３に示されるグラフは、ポンプ管４の長さＬが変化するとき、圧力が１つの一定のレベルには留まらないことを明確に示す。それどころか、交互に発生している不安定領域及び安定領域は、識別可能である。不安定領域では、ポンプ管長さＬが変化するときに圧力が強く変化する一方で、安定領域では、ポンプ管長さＬが変化するときに圧力は実質的に一定レベルのままである、換言すると、圧力はポンプ管長さＬに依存しない。ブリューチャンバ７において所定の圧力が得られることを保証するために、ポンプ管長さＬが、圧力とこのポンプ管長さＬとの関係が安定領域にあるように選択されることは、重要である。前記関係が不安定領域にある場合、圧力が十分に高くないという相当な危険性がある。
【００２８】
不安定領域及び安定領域は、第１の不安定領域の後に第１の安定領域が続き、第１の安定領域の後に第２の不安定領域が続き、第２の不安定領域の後に第２の安定領域が続く…というように交互に変わる。第１の不安定領域は、ポンプ管長さＬが２１５ｍｍに等しく圧力が事実上最低である点の周りに広がる。第２の不安定領域は、ポンプ管長さＬが６４０ｍｍに等しい点の周りに広がる。コーヒーメーカー１の不安定で予測不可能な性能を避けるためには、ポンプ管長さＬは、不安定領域外にあるように選択されなければならない。
【００２９】
更に、グラフは、第１の安定領域が、ポンプ管長さＬが約２８０ｍｍに等しい点からポンプ管長さＬが約５１０ｍｍに等しい点まで延びることを示す。これらの位置の間では、圧力の変動は、小さくて許容可能なものである。
【００３０】
完全を期すため、先行する段落で言及されたポンプ管長さＬの値が、６０のショア硬度、２ｍｍの内径Ｒ１、４ｍｍの外径Ｒ２、５０Ｈｚのポンプ周波数ｆを有するポンプ管４に関連したものであることに言及しておく。これらの特性のうちの少なくとも１つが変化すると、圧力とポンプ管長さＬとの間の関係は変わる。この現象は、図４に示される。この図に示されるグラフは、２つの異なったポンプ周波数（即ち５０Ｈｚ及び６０Ｈｚ）についての圧力とポンプ管長さＬとの間の実験的に得られた関係を表す。破線は５０Ｈｚのポンプ周波数ｆに関するものであり、実線は６０Ｈｚのポンプ周波数ｆに関するものである。
【００３１】
ブリューチャンバ７の圧力及びポンプ管長さＬの示された値は、６９のショア硬度、２ｍｍの内径Ｒ１及び４ｍｍの外径Ｒ２を有するポンプ管４について得られる。示される値は、２つの異なったレベルのポンプ周波数ｆで、ポンプ３、ポンプ管４及び水の特性でポンプ管４の長さＬ以外のものが一定に維持される状態でポンプ管４の長さＬを変化させ、ブリューチャンバ７内での関連圧力を測定することによって得られることが明らかであろう。
【００３２】
図４は、ブリューチャンバ７の圧力とポンプ管４の長さＬとの間の関係についての、１つの特性（この場合ポンプ周波数ｆ）の値の変動の影響を明らかに示す。例えば、約３００ｍｍのポンプ管長さＬ及び５０Ｈｚのポンプ周波数ｆでは、圧力とポンプ管長さＬとの間の関係は不安定領域にある一方で、６０Ｈｚのポンプ周波数ｆでは前記関係は安定領域にある。図５は、図３及び４のグラフに基づくグラフである。これらのグラフの間の差は、図３及び４のグラフが、ブリューチャンバ７の圧力とポンプ管４の長さＬとの関係を示す一方で、図５のグラフは、ブリューチャンバ７の圧力と、ポンプ管４の長さＬとポンプ管４の波長λとの比の関係を示す、ということである。これら全てのグラフは、ポンプ管４の長さＬが変化し、ブリューチャンバ７の関連圧力が測定される実験に基づいており、波長λがポンプ管４の長さＬの変化によって影響を受けないので、図５に示される曲線の形状は、図３及び４に示される曲線の形状と一致する。
【００３３】
ブリューチャンバ７の圧力と、ポンプ管４の長さＬとポンプ管４の波長λとの比と、の間の示された関係は、６０のショア硬度、２ｍｍの内径Ｒ１、４ｍｍの外径Ｒ２及び５０Ｈｚのポンプ周波数ｆを持つポンプ管４を用いて決定された。完全を期すため、この関係は、これらの特定の状況下だけで有効なのではなく、異なった特性を有するポンプ管４が利用される場合及び／又はポンプ周波数ｆが異なっている場合にも有効であるということに言及しておく。これらの長さＬ、λの正確な値に関係なく、そして、波長λを決定する因子の正確な値に関係なく、ポンプ管４の長さＬと波長λとの比は、ブリューチャンバ７の得られた圧力を決定する。
【００３４】
図５に示されるグラフは、中でも、安定領域及び不安定領域のパターンが０．５λごとに繰り返されることを示す。更に、このグラフは、第１の不安定領域が、ポンプ管長さＬが０．２５λに等しく、圧力が事実上最低である点の周辺に広がることを示す。第２の不安定領域は、ポンプ管長さＬが０．７５λに等しい点の周辺に広がり、第３の不安定領域は、ポンプ管長さＬが１．２５λに等しい点の周辺に広がり、以下同様である。更に、グラフは、第１の安定領域が、ポンプ管長さＬが約０．３λに等しい点からポンプ管長さＬが約０．７λに等しい点まで延びることを示す。これらの点の間では、圧力の変動は、小さくて許容可能である。不安定領域と同様に、安定領域は、０．５λごとに繰り返される。従って、例えば、第２の安定領域は、ポンプ管長さＬが約０．８λに等しい点からポンプ管長さＬが約１．２λに等しい点まで広がる。
【００３５】
ポンプ管４の長さＬが０．３３λ±０．５Ｎλ〜０．６５λ±０．５Ｎλであれば、ブリューチャンバ７内の圧力はより一層予測可能である。従って、コーヒーメーカー１の好適な実施例で、ポンプ管４の長さＬは、０．３３λ±０．５Ｎλ〜０．６５λ±０．５Ｎλになるように選択されている。更に好ましい実施例において、ポンプ管４の長さＬは、０．３５λ±０．５Ｎλ〜０．５５λ±０．５Ｎλである。更に好ましい実施例において、ポンプ管４の長さＬは、０．３８λ±０．５Ｎλ〜０．５λ±０．５Ｎλである。
【００３６】
ブリューチャンバ７の圧力が最大である長さになるようにポンプ管４の長さＬが選択されているコーヒーメーカー１の実施例も、本発明によってカバーされる。この長さＬは、０．４λ±０．５Ｎλ〜０．４５λ±０．５Ｎλである。圧力の若干の変動が許される場合には、ポンプ管４の長さＬを正確に決定することは必要でなく、長さＬは、０．４λより低い値又は０．４５λより高い値であってもよい。好適には、長さＬが一層低い値を有する場合、この値は、０．３５λ±０．５Ｎλ〜０．４λ±０．５Ｎλである。好適には、長さＬがより高い値を有する場合、この値は、０．４５λ±０．５Ｎλ〜０．５５λ±０．５Ｎλである。
【００３７】
要約すると、交互に発生している不安定領域及び安定領域が、図３及び４に示されるグラフにおいて識別可能であり、これにより、ブリューチャンバ７の圧力とポンプ管４の長さＬとの間の実験的に決定された関係が示され、図５に示されるグラフは、ブリューチャンバ７の圧力と、ポンプ管４の長さＬと波長λとの比と、の間の実験的に決定された関係を示す。不安定領域では、ポンプ管長さＬが変化するときには圧力は大きく変化する一方で、安定領域では、ポンプ管長さＬが変化するときには圧力は実質的に一定のレベルのままである。
【００３８】
コーヒーメーカー１の性能が安定していて予測可能であるためには、ポンプ管４の波長λ及び長さＬを決定する種々の要因の組合せが安定領域内にあるように選択されていなければならず、その結果、いかなる軽微な外乱も、容認できないような圧力偏差を生じさせることはないことになる。本発明によれば、これは、長さＬが０．３λ±０．５Ｎλ〜０．７λ±０．５Ｎλである場合である。
【００３９】
上記では、コーヒーメーカー１が開示され、これは、水に加圧するためのポンプ３と、該ポンプ３の放出口側に接続されたポンプ管４とを有する。更に、コーヒーメーカー１は、コーヒーパッドを収容するように適応されるブリューチャンバ７を有する。コーヒーメーカー１の動作中、水は加熱され、加圧されてコーヒーパッド中を通過させらる。このような方法で、コーヒーが得られる。
【００４０】
コーヒーメーカー１の性能が安定しているためには、所定の圧力がブリューチャンバ７において得られることが重要である。コーヒーメーカー１の性能の安定性が、ポンプ管４の長さＬと、動作中にポンプ管４のポンプ３によって生じる波４１、４２の波長λとの比に依存することが分かった。この比が０．３λ±０．５Ｎλ〜０．７λ±０．５Ｎλである場合、Ｎが整数であり、コーヒーメーカー１の性能は安定している。しかし、比がこの範囲外にある場合、コーヒーメーカー１の性能は不安定である。
【００４１】
本発明の範囲が上記で議論された例に限られるものではなく、添付の特許請求の範囲において規定された本発明の範囲から逸脱することなしにその幾つかの変更及び修正が可能であることは、当業者には明らかであろう。
【図面の簡単な説明】
【００４２】
【図１】コーヒーメーカーの種々の構成要素を示するブロック図である。
【図２−ａ】コーヒーメーカーのポンプの出口側にあるコーヒーメーカーのポンプ管の波動を概略的に示す。
【図２−ｂ】コーヒーメーカーのポンプの出口側にあるコーヒーメーカーのポンプ管の波動を概略的に示す。
【図２−ｃ】コーヒーメーカーのポンプの出口側にあるコーヒーメーカーのポンプ管の波動を概略的に示す。
【図２−ｄ】コーヒーメーカーのポンプの出口側にあるコーヒーメーカーのポンプ管の波動を概略的に示す。
【図２−ｅ】コーヒーメーカーのポンプの出口側にあるコーヒーメーカーのポンプ管の波動を概略的に示す。
【図２−ｆ】コーヒーメーカーのポンプの出口側にあるコーヒーメーカーのポンプ管の波動を概略的に示す。
【図３】コーヒーメーカーのブリューチャンバの圧力とポンプ管の長さとの間の実験的に決定された関係を表すグラフである。
【図４】２つの異なったポンプ周波数で決定される、コーヒーメーカーのブリューチャンバの圧力とポンプ管の長さとの間の実験的に決定された関係を表するグラフである。
【図５】コーヒーメーカーのブリューチャンバの圧力と、ポンプ管の長さとポンプ管の波長との比と、の間の実験的に決定された関係を表しているグラフである。
【図１】
2007528768.tif 000007
【図２ａ】
2007528768.tif 000008
【図２ｂ】
2007528768.tif 000009
【図２ｃ】
2007528768.tif 000010
【図２ｄ】
2007528768.tif 000011
【図２ｅ】
2007528768.tif 000012
【図２ｆ】
2007528768.tif 000013
【図３】
2007528768.tif 000014
【図４】
2007528768.tif 000015
【図５】
2007528768.tif 000016
【国際調査報告】
2007528768.tif 000017
2007528768.tif 000018